(57)【要約】【課題】書物の開き状態を保持する文鎮に関し、読む妨げにならず、ページめくりが容易で、かつ書物の大小にかかわらず場所を取らずに使用できる文鎮を得る。【解決手段】柔軟な紐の両端に錘を連結したもので、その錘の少なくとも一方にばね力で紐を巻き取る巻取り機構を備えている。紐の巻取り長さを固定するロック機構とその解除ボタンを設けることができる。開いた本のページの上または下の余白部分を紐で押さえることによって書物の見開き状態を保持する。両側の錘は、開いた書物の両外側に隣接して置かれる。紐の中央部を上方（上方の余白を押さえた場合）にずらし、紙を少し下方に撓ませてめくり、めくった紙を紐の下に差し込むことで、錘を動かさずにページをめくることができる。【選択図】図３
2014210390.tif 000002
【特許請求の範囲】
【請求項１】
柔軟な紐と、この紐の両端に連結された錘とを備え、少なくとも一方の錘が前記紐をばね力で巻き取る巻取り機構を備えている、書見用の文鎮。
【請求項２】
前記一方の錘が、前記紐の引出しを固定するロック機構とその解除ボタンを備えている、請求項１記載の書見用の文鎮。
【請求項３】
前記一方の錘が、厚板状の金属基体の上に樹脂製のカバーを取り付けた構造を備え、当該金属基体とカバーとの間に形成される空間に前記巻取り機構が設けられている、請求項１又は２記載の書見用の文鎮。
【発明の詳細な説明】
【技術分野】
【０００１】
この発明は、机などに置かれた書物を開いた状態で保持するのに使用する文鎮に関するものである。
【背景技術】
【０００２】
書物は、手で持つか押さえるかして開いた状態を保持し、ページをめくりながら読むのが普通であるが、例えば書物の内容をノートに書き記すときなどは、机上に置いた書物に手を添えないで開いた状態を保持したいときがある。薄くて開きやすい書物であれば、開いて机上に置けばそのままの状態で保持されるが、厚い書物であったり、背を固く綴じた書物は、開いて机上に置いただけでは閉じてしまったり、紙が大きくふくらんで所望のページを読むことができなくなる。このような場合、開いた左右のページに差し渡すように文鎮を置いて、所望のページが開かれた状態で保持されるようにしている。
【０００３】
しかし、文鎮は一般的には金属製であり、透明なガラス製のものでも分厚いので、文鎮を置いた箇所を読むことができない。そのため、読んでいる途中で文鎮をぞらす必要がある。特に拾い読みをするときなどは、文鎮を頻繁に移動しなければならないし、ページをめくるときには文鎮を外してページをめくり、再び文鎮を置くという作業が必要で、特に書物を読みながら要所要所を書き記すときなど大変に面倒である。
【０００４】
この面倒を解消する手段として、特許文献１及び２には、細長い透明板の長手方向の両端に錘を取付けた構造の文鎮が提案されている。この文鎮は、開いた書物の左右両ページに跨がるように透明板を置いて使用する。両端の錘は、開いた書物の両外側に位置し、開いたページは細い透明な板で覆われるだけなので、文鎮に覆われる箇所は小さく、また覆われた箇所の文字も透明板を通して読めるので、ページをめくるまでそのままの状態で書物を読むことができるとしている。
【先行技術文献】
【特許文献】
【０００５】
【特許文献１】実開昭６０−１４５０９５号公報
【特許文献２】実開平６−４２２９３号公報
【発明の概要】
【発明が解決しようとする課題】
【０００６】
しかし、開いたページを押さえているものが透明板であっても、板の上下の縁の所では光が屈設したり反射したりするので、正確に読むことができない。特に横書きの書物では、一行分が読めなくなったりするので、錘をずらす必要が生じる。
【０００７】
透明板として屈曲しにくい固い透明板を用いると、文鎮が大型になって持ち運びに不便だし、柔軟な透明板を用いても、透明板の張力で書物を押さえることになるので、小さい書物であっても錘を左右いっぱいに開いて押さえなければならず、場所を取ってしまうという問題があり、いずれにしても、書物の大きさに合わせた大小のものを準備しないと実用上は不便である。
【０００８】
特に問題なのは、ページをめくるのが面倒になることである。左右の錘を左右の手で持つと、文鎮を書物から外したときに書物が閉じたりページが動いてしまうから、片手で文鎮をずらさねばならない。片手で透明板の真ん中を持って文鎮を持ち上げる構造では、透明板が相当厚くなり、板の上下縁の読めなくなる部分が大きくなる。一方、柔軟な透明板を用いたときには、片手で一方の錘を持ち上げた状態で他方の手でページをめくることになるが、ページをめくるときに片方の錘を高く持ち上げる必要があったり、錘をずらした位置に置こうとすると、他方の錘の方向が変わったり、透明板がねじられたりするので、ページをめくった後で文鎮の位置を直さねばならなくなる。
【０００９】
この発明は、このような問題点を解消した構造の書見用の文鎮を提供しようとするもので、開いたページを読む妨げになることがなく、ページめくりも容易で、かつ書物の大小にかかわらず場所を取らずに見開き状態を保持することができる文鎮を得ることを課題としている。
【課題を解決するための手段】
【００１０】
この発明の書見用の文鎮は、柔軟な紐１の両端に錘２、３を連結したもので、その錘の少なくとも一方２にばね力で紐１を巻き取る巻取り機構４を設けたものである。当該一方の錘２には、必要に応じて紐１の巻取り長さを固定するロック機構５と、その解除ボタン６を設けることができる。巻取り機構４としては、巻ばね（ぜんまいばね）４２で紐１の巻取り方向に回転付勢されたプーリ４１を設ける構造が簡単である。
【００１１】
この発明の書見用の文鎮は、開いたページの上または下の余白部分を紐１で押さえることによって書物の見開き状態を保持する。両側の錘２、３は、開いた書物１１の両外側に隣接して置かれるが、書物に接する側の縁をページの左右の余白部分を押さえるように置いてもよい。ページをめくるときは、紐１と書物の紙の柔軟性とを利用して、片方の手で紐１の中央部を上方（紐１でページの上方の余白を押さえた場合、以下同じ。）にずらし、めくろうとする紙を少し下方にずらすように撓ませてめくり、めくった紙を紐１の下に差し込むように動かすことによって、錘２、３を動かすことなく簡単にページをめくることができる。
【００１２】
好ましい紐１としては、ハードカバーの書物にしおりとして付けられていることがあるような細く偏平ないわゆる平紐や、てぐすのような材質の丸や角断面の紐を挙げることができる。前者は柔軟性が優れ、後者は耐久性が優れている。
【発明の効果】
【００１３】
この発明の文鎮は、開いた書物の上方または下方の余白部分を紐１で押さえて書物の見開き状態を保持するので、読書の妨げになるおそれは全くない。書物の見開き状態は、紐１の張力によって保持されるが、錘２に設けた巻取り機構により、書物の大小にかかわらず、両側の錘２、３を見開いた書物の左右の外側直近に置くことができるので、書物の大小にかかわらず、紐１に必要な張力を付与することができ、場所も取らない。そして、紐１の柔軟性と書物の紙の柔軟性とを利用して、錘２、３を動かすことなく、書物のページをめくることができるので、ページめくりの作業が容易になる。更に不使用時には、紐を一方の錘２内に巻き取ってしまうことができるので、持ち運びや保管にも便利である。
【図面の簡単な説明】
【００１４】
【図１】実施例を示す平面図
【図２】巻取り機構を内蔵した錘の内部構造を示す平面図
【図３】使用状態を示す斜視図
【発明を実施するための形態】
【００１５】
以下、図面を参照して、この発明の実施形態を説明する。この発明の書見用の文鎮は、柔軟な紐１と、その両端に設けられた錘２、３とを備えている。図の錘２、３は、押さえた書物からの反力で移動しない程度の重さを備えた厚板状の金属基体２１、３１の上に樹脂製のカバー２２、３２を取付けた構造である。
【００１６】
一方の錘２には、カバー２２と金属基体２１との間の空間に紐１の巻取り機構４が収納されている。他方の錘３は、カバー３２と金属基体３１との間の空間には何も設けられておらず、その一端にフック３３が設けられて紐１の先端がこのフック３３に結び付けられている。
【００１７】
図示実施例では、紐１の先端側の錘３を基端側の錘２と同形としたが、金属基板のみとすることができる他、魚釣りに使用する裁頭角錐形のものであってもよく、転がって移動することのない形状であれば種々の形状が可能である。
【００１８】
錘２内の巻取り機構４は、図２に示すように、巻ばね４２で紐１の巻取り方向に回転付勢されたプーリ４１を備えている。プーリ４１は、金属基体２１に立設した軸４３に自由回転可能に軸支され、この軸の先端とプーリ４１との間に巻ばね４２が設けられ、プーリ４１の巻取り溝に巻かれた紐１の基端が当該巻取り溝の一箇所に固定されている。カバー２２には、紐１の引出し口２３が設けられ、この引出口から引き出した紐１の先端に他方の錘３が連結されている。
【００１９】
引出し口２３の近傍には、紐１の引出し位置（引出し長さ）を固定するロック機構５が設けられている。図のロック機構５は、カバーに設けた軸５３回りに回転自在に設けられたカムで、このカムを回転付勢している巻ばね５２のばね力でカム５１の出っ張った部分５４と、カバー２２と一体の受部２４との間で紐１を挟持して固定する。カム５１には、巻ばね５２の付勢方向と反対の方向にカム５１を押し回すための解除ボタン６が一体に設けられており、この解除ボタン６は、カバー２２の側面外側に突出している。
【００２０】
使用者が錘２を把持した手の指で解除ボタン６を押すことにより、ロック機構による紐１の固定が外れ、解除ボタン６から指を離せば、巻ばね５２のばね力によって紐１が引出し口２３から引き込まれてプーリ４１に巻回される。
【００２１】
図３は、上記構造の書見用の文鎮の使用状態を示した図である。同図に示すように、この発明の書見用の文鎮は、錘２、３を開いた書物１１の左右の直近に置いて、両者を繋ぐ紐１で開いた書物１１の上方又は下方の余白部分を押さえた状態で使用する。すなわち、紐１を開いた書物の幅より長めに引き出して書物の上に置き、錘３のフック３３と錘２の引出し口２３とが開いた書物の上方（下方でもよい）の余白部分の両側に位置させて解除ボタン６を押せば、紐１は余分な長さが巻き取られて錘２、３の間で引張られた状態となり、開いた書物の上辺（又は下辺）を押さえて書物の見開き状態が保持される。
【００２２】
ページをめくるときは、片方の手の指先で紐の中央部を上方へ押し上げ、他方の手でめくる紙の外側辺を少し下方に引いて紐１から外してめくったあと、めくった紙の上辺を紐１の下に差し込むようにすることで、錘２、３を動かすことなくページをめくることができる。
【００２３】
使用しないときは、解除ボタン６を押した状態で錘２、３相互を近づけることで紐１が錘２内に巻き込まれるから、持ち運びが容易で机の上に常時置いておいても場所をとらず、そのままの状態で通常の文鎮として用いることもできる。
【符号の説明】
【００２４】
１  紐
２  錘
３  錘
４  巻取り機構
５  ロック機構
６  解除ボタン
４２  巻ばね
【図１】
2014210390.tif 000003
【図２】
2014210390.tif 000004
【図３】
2014210390.tif 000005